(57)【要約】【課題】ブロアーノズル未使用時には吸引力を低下させることなく排気による塵埃巻き上げを抑制し、ブロアーノズル使用時には排気風速を大きくできる電気掃除機を提供する。【解決手段】この発明に係る電気掃除機は、集塵部１７を有する本体３と、吸込口２１から集塵部１７へと吸い込む空気流を生成する電動送風機２３と、を備える。本体３の内部には、集塵部１７を通過した空気を外部に排出するための排気風路が形成される。本体３には、それぞれ排気風路と通じる第１の排気口３１と第２の排気口３２とが形成される。第２の排気口３２には、ブロアーノズル５０が着脱可能であり、第２の排気口３２にブロアーノズル５０が取り付けられていない場合に、第２の排気口３２からの排気量を、第２の排気口３２にブロアーノズル５０が取り付けられている場合よりも低減させるシャッター部４０が設けられる。【選択図】図１２
2019154486.tif 000002
【特許請求の範囲】
【請求項１】
吸込口が形成され、前記吸込口から吸い込まれた空気中の塵埃を捕集する集塵部を有する本体と、
前記本体に内蔵され、前記吸込口から前記集塵部へと吸い込む空気流を生成する電動送風機と、を備え、
前記本体の内部には、前記集塵部を通過した空気を前記本体の外部に排出するための排気風路が形成され、
前記本体には、前記排気風路と通じる第１の排気口と、前記排気風路と通じ、前記第１の排気口とは異なる位置に配置された第２の排気口とが形成され、
前記第２の排気口には、ブロアーノズルが着脱可能であり、前記第２の排気口に前記ブロアーノズルが取り付けられていない場合に、前記第２の排気口からの排気量を、前記第２の排気口に前記ブロアーノズルが取り付けられている場合よりも低減させるシャッター部が設けられた電気掃除機。
【請求項２】
前記シャッター部は、
前記第２の排気口への前記ブロアーノズルの着脱方向に対して垂直な回動軸を有し、
前記ブロアーノズルを前記第２の排気口へ挿入すると前記ブロアーノズルに押されて前記回動軸を中心に回動する請求項１に記載の電気掃除機。
【請求項３】
前記本体は、使用者が持つためのハンドルを備え、
前記第１の排気口は、前記本体の側面に配置され、
前記第２の排気口は、前記ハンドルに対し、前記第１の排気口が配置される端部側と反対の端部側に前記ハンドルから離間して配置される請求項１又は請求項２に記載の電気掃除機。
【請求項４】
前記第２の排気口は、前記吸込口と同方向に向けて開口し、かつ、前記吸込口よりも前記ハンドルに近接して配置され、
前記第２の排気口に取り付けられた前記ブロアーノズルの先端は、前記吸込口よりも前記ハンドルから離間して配置される請求項３に記載の電気掃除機。
【請求項５】
前記ハンドルの少なくとも一部は、軸線に沿った直線状を呈し、
前記第２の排気口に取り付けられた前記ブロアーノズルの長手軸は、前記軸線上に配置される請求項４に記載の電気掃除機。
【請求項６】
前記吸込口には、一端側が吸込具と連結可能な中空管状の管体の他端側が着脱可能であり、
前記管体の前記他端側は、前記第２の排気口にも着脱可能である請求項１から請求項５のいずれか一項に記載の電気掃除機。
【請求項７】
前記第２の排気口への前記ブロアーノズルの着脱方向と前記吸込口への前記管体の着脱方向とは平行である請求項６に記載の電気掃除機。
【請求項８】
前記第２の排気口の開口面積は、前記第１の排気口の開口面積よりも大きい請求項１から請求項７のいずれか一項に記載の電気掃除機。
【請求項９】
前記シャッター部は、通気性を有するクッション部を備えた請求項１から請求項８のいずれか一項に記載の電気掃除機。
【請求項１０】
前記電動送風機を駆動させる電力を供給する電源装置をさらに備え、
前記電源装置は、前記本体内における前記排気風路中に配置される請求項１から請求項９のいずれか一項に記載の電気掃除機。
【発明の詳細な説明】
【技術分野】
【０００１】
この発明は、電気掃除機に関するものである。
【背景技術】
【０００２】
吸引風を発生する電動送風機を内蔵する掃除機本体と、掃除機本体の後面に形成され電動送風機を通過した排気を排出する排気口と、排気口を覆い、複数の貫通孔部を有し、開閉自在に取り付けられた矩形状の排気カバーとを備え、排気口に掃除機本体の排気で塵埃を吹き飛ばすブロアーノズルに連通する接続部が取り付けられた電気掃除機が知られている（例えば、特許文献１参照）。
【先行技術文献】
【特許文献】
【０００３】
【特許文献１】特開２０１７−０２９５６３号公報
【発明の概要】
【発明が解決しようとする課題】
【０００４】
このように、例えば特許文献１に示されるような技術では、排気口にブロアーノズルを接続することで、排気口からの排気を利用してブロアーとしても使用できる。そして、ブロアーノズルを使用しない場合にブロアーノズルが着脱される排気口を排気カバーで覆い、排気口からの排気風速を抑制している。しかしながら、このような技術では、ブロアーノズルの未使用時に排気口を排気カバーで覆うため、排気口での圧力損失が大きくなる。このため、掃除機による通常の吸引清掃時における吸引力の低下を招くおそれがある。
【０００５】
この発明は、このような課題を解決するためになされたものである。その目的は、掃除機による通常の吸引清掃時における吸引力を低下させることなく、ブロアーノズルの未使用時に排気による被清掃面上の塵埃巻き上げを抑制でき、かつ、ブロアーノズルの使用時には、ブロアーノズルが接続される排気口からの排気風速を大きくしてブロアーとしての性能を向上できる電気掃除機を得ることにある。
【課題を解決するための手段】
【０００６】
この発明に係る電気掃除機は、吸込口が形成され、前記吸込口から吸い込まれた空気中の塵埃を捕集する集塵部を有する本体と、前記本体に内蔵され、前記吸込口から前記集塵部へと吸い込む空気流を生成する電動送風機と、を備え、前記本体の内部には、前記集塵部を通過した空気を前記本体の外部に排出するための排気風路が形成され、前記本体には、前記排気風路と通じる第１の排気口と、前記排気風路と通じ、前記第１の排気口とは異なる位置に配置された第２の排気口とが形成され、前記第２の排気口には、ブロアーノズルが着脱可能であり、前記第２の排気口に前記ブロアーノズルが取り付けられていない場合に、前記第２の排気口からの排気量を、前記第２の排気口に前記ブロアーノズルが取り付けられている場合よりも低減させるシャッター部が設けられる。
【発明の効果】
【０００７】
この発明に係る電気掃除機によれば、掃除機による通常の吸引清掃時における吸引力を低減させることなく、ブロアーノズルの未使用時に排気による被清掃面上の塵埃巻き上げを抑制でき、かつ、ブロアーノズルの使用時には、ブロアーノズルが接続される排気口からの排気風速を大きくしてブロアーとしての性能を向上できるという効果を奏する。
【図面の簡単な説明】
【０００８】
【図１】この発明の実施の形態１に係る電気掃除機の斜視図である。
【図２】この発明の実施の形態１に係る電気掃除機の本体部分を拡大した側面図である。
【図３】この発明の実施の形態１に係る電気掃除機の本体部分を拡大した断面図である。
【図４】この発明の実施の形態１に係る電気掃除機の本体部分の図２とは反対側から見た側面図である。
【図５】この発明の実施の形態１に係る電気掃除機の本体に対し集塵部を着脱する途中の状態を示す側面図である。
【図６】この発明の実施の形態１に係る集塵部の斜視図である。
【図７】この発明の実施の形態１に係る電気掃除機の本体と管体を連結した状態の側面図である。
【図８】この発明の実施の形態１に係る電気掃除機の直立形態の側面図である。
【図９】この発明の実施の形態１に係る電気掃除機の直立形態の正面図である。
【図１０】この発明の実施の形態１に係る電気掃除機の直立形態の背面図である。
【図１１】この発明の実施の形態１に係る電気掃除機のフラット形態の側面図である。
【図１２】この発明の実施の形態１に係る電気掃除機の本体にブロアーノズルを取り付けた状態を示す斜視図である。
【図１３】この発明の実施の形態１に係る電気掃除機の本体にブロアーノズルを着脱する状態を示す斜視図である。
【図１４】この発明の実施の形態１に係る電気掃除機の本体にブロアーノズルを取り付けた状態の断面図である。
【図１５】この発明の実施の形態１に係る電気掃除機の本体にブロアーノズルを取り付けた状態の側面図である。
【図１６】この発明の実施の形態１に係る電気掃除機をスタンドに載置した状態の側面図である。
【図１７】この発明の実施の形態１に係る電気掃除機とスタンドの斜視図である。
【図１８】この発明の実施の形態１に係る電気掃除機の本体に管体を着脱する状態を示す斜視図である。
【発明を実施するための形態】
【０００９】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１０】
実施の形態１．
図１から図１８は、この発明の実施の形態１に係るもので、図１は電気掃除機の斜視図、図２は電気掃除機の本体部分を拡大した側面図、図３は電気掃除機の本体部分を拡大した断面図、図４は電気掃除機の本体部分の図２とは反対側から見た側面図、図５は電気掃除機の本体に対し集塵部を着脱する途中の状態を示す側面図、図６は集塵部の斜視図、図７は電気掃除機の本体と管体を連結した状態の側面図、図８は電気掃除機の直立形態の側面図、図９は電気掃除機の直立形態の正面図、図１０は電気掃除機の直立形態の背面図、図１１は電気掃除機のフラット形態の側面図である。
【００１１】
また、図１２は電気掃除機の本体にブロアーノズルを取り付けた状態を示す斜視図、図１３は電気掃除機の本体にブロアーノズルを着脱する状態を示す斜視図、図１４は電気掃除機の本体にブロアーノズルを取り付けた状態の断面図、図１５は電気掃除機の本体にブロアーノズルを取り付けた状態の側面図、図１６は電気掃除機をスタンドに載置した状態の側面図、図１７は電気掃除機とスタンドの斜視図、図１８は電気掃除機の本体に管体を着脱する状態を示す斜視図である。
【００１２】
以下の説明では、塵埃及びその他のゴミを総称して単に「塵埃」と呼ぶ場合がある。また、塵埃が混じった空気を「含塵空気」と呼ぶ場合がある。そして、塵埃が取り除かれた空気を「清浄空気」と呼ぶ場合がある。
【００１３】
この発明の実施の形態１に係る電気掃除機１は、コードレスタイプの縦型電気掃除機である。図１に示すように、電気掃除機１は、主な構成要素として、本体３、管体４及び吸込具５を備えている。図２から図４に示すように、本体３は、ハンドル１５、外郭部１６及び集塵部１７を備えている。ハンドル１５は、電気掃除機１の使用中に使用者が手で握る部位である。使用者は、ハンドル１５を握ることで電気掃除機１の本体３を把持できる。
【００１４】
外郭部１６は、本体３の外郭すなわち外側の覆いをなす部材である。図３に示すように、本体３の外郭部１６には、電動送風機２３、バッテリ部１９及び制御部２４が内蔵されている。電動送風機２３は電気掃除機１の吸引風を生成するためのものである。バッテリ部１９は、電動送風機２３を駆動するための二次電池を含んでいる。この実施の形態１におけるバッテリ部１９は、電動送風機２３を駆動させる電力を供給する電源装置の一例である。制御部２４は、電動送風機２３の動作の制御するための回路等を備えている。
【００１５】
外郭部１６は、ケース部１８及び接続管部２０を備えている。接続管部２０は、管体４が着脱可能に連結される中空管状の部材である。接続管部２０は、塵埃を吸い込むための吸込口２１を有する。吸込口２１は、接続管部２０の一端に形成された開口である。接続管部２０の内部には、吸込口２１を通過した含塵空気の気流を集塵部１７へ導く風路が形成されている。
【００１６】
ハンドル１５は、ケース部１８から見て集塵部１７が配置される側とは反対側に回り込むようにＵ字状に湾曲して配置されている。ハンドル１５の一端側は、接続管部２０の他端側と外観上連続するようにして配置されている。ハンドル１５の他端側は、ケース部１８から見て接続管部２０が配置される側とは反対側にまで延びている。ハンドル１５の他端側は、ケース部１８の側面から突出した支柱部に接続されている。ハンドル１５の他端側には、操作部２２が設けられている。ハンドル１５の少なくとも一部は、予め設定された軸線に沿った直線状を呈する。この実施の形態の構成では、ハンドル１５の操作部２２側が直線状である。
【００１７】
集塵部１７は、電動送風機２３が生成した吸引風により本体３に吸い込んだ含塵空気中の塵埃を捕集するためのものである。図４に示すように、集塵部１７は、本体３に対し着脱可能に取り付けられている。図５に示すように、集塵部１７は、全体として円柱状の外観を有する。この実施の形態１に係る集塵部１７は、サイクロン部２６及びフィルタ部２５を有している。サイクロン部２６は、サイクロン分離装置である。サイクロン部２６は、電動送風機２３が生成した空気流により含塵空気を内部で旋回させて含塵空気からごみを分離する。フィルタ部２５は、サイクロン部２６では分離し切れなかった微細な塵埃を空気流中から漉し取るためのものである。
【００１８】
このようにして、本体３には吸込口２１が形成されている。また、本体３は、この吸込口２１から吸い込まれた空気中の塵埃を捕集する集塵部１７を有している。そして、本体３に内蔵された電動送風機２３は、吸込口２１から集塵部１７へと吸い込む空気流を生成する。
【００１９】
本体３の内部には、排気風路が形成されている。排気風路は、集塵部１７を通過した空気を本体３の外部に排出するための風路である。本体３には、第１の排気口３１及び第２の排気口３２が形成されている。第１の排気口３１及び第２の排気口３２の両方とも、前述した排気風路と通じている。この実施の形態の構成例では、第１の排気口３１は、ケース部１８におけるバッテリ部１９が収容される位置に形成されている。このため、バッテリ部１９は、排気風路中の特に第１の排気口３１に通じる箇所に配置されている。なお、この構成例では、図２及び図４に示すように、第１の排気口３１はケース部１８の両面にそれぞれ設けられている。すなわち、第１の排気口３１は本体３の側面に配置されている。
【００２０】
第２の排気口３２は、第１の排気口３１とは異なる位置に形成される。この実施の形態の構成例では、第２の排気口３２は、ハンドル１５の前述した他端側、すなわち操作部２２が設けられた側の端面、より詳しくはハンドル１５の支柱部の側面に形成されている。すなわち、第２の排気口３２は、ハンドル１５に対し、第１の排気口３１が配置される端部側と反対の端部側にハンドル１５から離間して配置される。そして、第２の排気口３２は、吸込口２１と同方向に向けて開口している。この実施の形態の構成例では、第２の排気口３２及び吸込口２１が開口する方向は、ハンドル１５の前述した軸線に沿い、かつ、ケース部１８から見て集塵部１７が配置される側となる方向である。
【００２１】
第２の排気口３２の開口面積は、第１の排気口３１の開口面積よりも大きい。この実施の形態の構成例では、前述したように第１の排気口３１はケース部１８の両面に設けられている。第２の排気口３２の開口面積は、これらの第１の排気口３１の合計よりも大きい。
【００２２】
電動送風機２３は、ハンドル１５に設けられた操作部２２に対する操作に応じて駆動する。電動送風機２３が駆動すると、集塵部１７及び接続管部２０の内部に吸引力が作用し、吸込口２１から含塵空気が吸い込まれる。吸込口２１に吸い込まれた含塵空気は、接続管部２０を通過して集塵部１７の内部に取り込まれる。集塵部１７では、サイクロン部２６及びフィルタ部２５により含塵空気から塵埃が分離される。集塵部１７から排出された清浄空気は、電動送風機２３を通過する。電動送風機２３を通過した清浄空気は、前述の排気風路を通り、第１の排気口３１及び第２の排気口３２から本体３の外部へ排出される。
【００２３】
ここで、前述したようにバッテリ部１９は前述の排気風路中に配置される。このため、電気掃除機１の運転中には、排気風路中の気流でバッテリ部１９を冷却できる。
【００２４】
図１に示すように、管体４は、直線状の外形を有する中空管状の部材である。管体４の一端側は、本体３の吸込口２１と着脱可能に連結される。管体４の他端側は、吸込具５と着脱可能に連結される。
【００２５】
吸込具５は、吸込口体１４と連結部１３とを備える。吸込具５は、管体４の前述した他端側に連結部１３を介して連結される。吸込具５は被清掃面を清掃するためのものである。被清掃面とは、例えば床面等の水平面に平行に延びる面である。吸込口体１４の底面の大部分は、被清掃面に平行に配置される。吸込口体１４の底面には、図示しない吸込具開口が形成されている。
【００２６】
平面視において、吸込口体１４の形状は矩形状を呈する。吸込口体１４における清掃方向を、吸込口体１４の短手方向と呼ぶ。平面視において、吸込口体１４の短手方向に垂直な方向を吸込口体１４の長手方向と呼ぶ。吸込口体１４の長手方向の長さ（最大長さ）は、短手方向の長さ（最大長さ）より長い。
【００２７】
連結部１３の一端は、吸込口体１４の長手方向における中間部で、かつ、短手方向における一側に、関節構造を介して取り付けられる。連結部１３の他端側は、管体４の前述した他端側が着脱可能に接続される。
【００２８】
以上のように構成された電気掃除機１を、本体３、管体４及び吸込具５が一体になるように連結してスティック型電気掃除機として使用する場合、使用者は、本体３のハンドル１５を握り、例えば図１に示すように管体４の長手方向が斜め方向となるようにして床面を掃除する。また、例えば、天井面等を掃除する場合、図７に示すように、本体３と管体４とを連結して吸込具５を取り外した状態で、本体３のハンドル１５を握り、管体４の長手方向が斜め上方向となるようにする。
【００２９】
さらに、この発明の実施の形態に係る電気掃除機１は、以下に述べる「直立形態」と「フラット形態」の特に２つの形態をとることができる。直立形態とは、本体３、管体４及び吸込具５が一体になるように連結し、かつ、吸込具５の底面を下に向け、連結部１３の関節構造により吸込具５の底面と管体４の長手軸とを略直角にした形態である。電気掃除機１の直立形態の例を図８から図１０に示す。直立形態の電気掃除機１は自立可能である。
【００３０】
フラット形態とは、本体３、管体４及び吸込具５が一体になるように連結し、かつ、吸込具５の底面を下に向け、連結部１３の関節構造により吸込具５の底面と管体４の長手軸とを平行にした形態である。電気掃除機１のフラット形態を図１１に示す。フラット形態では、例えば家具と床面との間の低い位置にある隙間の奥まで清掃しやすい。すなわち、床面から吸込具５や管体４までの高さを低く抑え、ソファーの下等の低所を清掃しやすくなるため、電気掃除機１の操作性を向上できる。また、吸込口体１４を低所のより奥へと挿入できる。
【００３１】
ハンドル１５は、フラット形態において、本体３の接続管部２０とは反対側から本体３の上側にかけて連続して配置されている。ハンドル１５と、外郭部１６との間には、空間が形成されている。ハンドル１５を握った手の指が、この空間に挿入可能である。このように、ハンドル１５は、外郭部１６の上端部から下端部にかけて連続して配置される。そして、例えば、ハンドル１５の上端部と下端部とは平行である。また、例えば、ハンドル１５の中間部は、ハンドル１５の上端部と下端部とに対して湾曲して連結される。このため、掃除が行われる場面に応じて、使用者は適切な握り箇所を確保できる。例えば手首を曲げずに自然な状態で保持することで、手首、手元の負荷が軽減される。
【００３２】
図１２から図１５に示すように、この実施の形態に係る電気掃除機１においては、第２の排気口３２にブロアーノズル５０が着脱可能である。ブロアーノズル５０は、中空管状のアタッチメント（付属品）である。ブロアーノズル５０の一端側には、ラッチ部５２が設けられている。ラッチ部５２は、本体３の第２の排気口３２とブロアーノズル５０との結合状態を保持するとともに、この結合を使用者の操作により容易に解除できるようにするものである。
【００３３】
ブロアーノズル５０の前述の一端側を本体３の第２の排気口３２に差し込むと、ラッチ部５２が第２の排気口３２の縁部に掛かり、第２の排気口３２とブロアーノズル５０との結合状態が保持される。使用者がラッチ部５２を押すと、第２の排気口３２とブロアーノズル５０との結合状態が解除される。第２の排気口３２とブロアーノズル５０との結合が解除された状態で、ブロアーノズル５０を本体３から離すように移動させると、本体３からブロアーノズル５０を取り外せる。
【００３４】
ブロアーノズル５０の他端側には、ノズル先端部５１が形成されている。ノズル先端部５１は、先細り形状を呈する。ノズル先端部５１には、吹出口が形成されている。
【００３５】
ブロアーノズル５０を第２の排気口３２に取り付けた状態では、本体３の前述した排気風路がブロアーノズル５０の内部を経由してノズル先端部５１の吹出口まで通じる。この状態で電動送風機２３を駆動させると、排気風路中の気流が第２の排気口３２からブロアーノズル５０内に入る。そして、気流はブロアーノズル５０内を通り、ノズル先端部５１から吹き出す。このようにして、電気掃除機１をブロアーとして使用できる。電気掃除機１をブロアーとして使用する場合、使用者はハンドル１５を持ち、ブロアーノズル５０のノズル先端部５１の対象面に向ける。そして、ノズル先端部５１から噴出した空気で対象面の塵埃等を吹き飛ばすことができる。
【００３６】
図３に示すように、第２の排気口３２には、シャッター部４０が取り付けられている。シャッター部４０は板状の部材で、複数の孔があけられた格子状を呈する。シャッター部４０は、第２の排気口３２を開閉可能に取り付けられている。ここで説明する構成例においては、具体的には、シャッター部４０は、その一側で回動軸４１を介して、第２の排気口３２の縁部に取り付けられている。そして、シャッター部４０は、第２の排気口３２を閉じた位置と、回動軸４１を中心に外郭部１６の内側へと回って第２の排気口３２を開いた位置との間で移動可能である。
【００３７】
シャッター部４０には、クッション部４２が取り付けられている。クッション部４２は、シャッター部４０に形成された格子状の各孔を塞ぐように設けられている。クッション部４２は、例えばスポンジ状の素材からなり、通気性を有する。したがって、シャッター部４０が第２の排気口３２を閉じた状態でも、クッション部４２及びシャッター部４０を通過して第２の排気口３２を空気が流通できる。
【００３８】
ただし、シャッター部４０が第２の排気口３２を閉じた状態では、クッション部４２における抵抗により、第２の排気口３２を通過する空気流の速度が遅くなる。したがって、電動送風機２３の出力が同じであっても、シャッター部４０が第２の排気口３２を閉じた状態では、シャッター部４０が第２の排気口３２を開いた状態と比較して、第２の排気口３２からの排気量が少なくなる。
【００３９】
図１２及び図１３に示すように、ブロアーノズル５０を第２の排気口３２に着脱する際には、ブロアーノズル５０は、第２の排気口３２の開口面に対し垂直に抜き差しされる。すなわち、第２の排気口３２へのブロアーノズル５０の着脱方向は、第２の排気口３２の開口面に垂直である。シャッター部４０の回動軸４１は、第２の排気口３２の開口面と平行である。したがって、回動軸４１は、第２の排気口３２へのブロアーノズル５０の着脱方向に対して垂直である。
【００４０】
シャッター部４０は、例えばバネ等により第２の排気口３２を閉じるように付勢されている。したがって、図３に示すように、第２の排気口３２にブロアーノズル５０が取り付けられていない場合には、シャッター部４０は第２の排気口３２を閉じている。
【００４１】
ブロアーノズル５０を第２の排気口３２へ挿入すると、シャッター部４０は、ブロアーノズル５０に押されて回動軸４１を中心に外郭部１６の内側へと回動する。そして、ブロアーノズル５０を第２の排気口３２に取り付けた状態では、図１４に示すように、シャッター部４０は第２の排気口３２を開き、本体３の前述した排気風路とブロアーノズル５０の内部とが完全に連通する。この状態では、第２の排気口３２を通過する空気流はシャッター部４０により妨げられない。
【００４２】
このように、第２の排気口３２にブロアーノズル５０が取り付けられていない場合には、第２の排気口３２はシャッター部４０により閉じられている。したがって、第２の排気口３２からの排気量がシャッター部４０により抑制される。換言すれば、シャッター部４０は、第２の排気口３２にブロアーノズル５０が取り付けられていない場合に、第２の排気口３２からの排気量を、第２の排気口３２にブロアーノズル５０が取り付けられている場合よりも低減させる。
【００４３】
ここで、本体３内の排気風路は、第２の排気口３２だけでなく第１の排気口３１にも通じている。このため、第２の排気口３２で減少した排気量の分だけ、第１の排気口３１からの排気量が増加する。また、通常の吸引清掃時には、使用者がハンドル１５を持って吸込口２１を被清掃面に向けて近づける。吸込口２１と第２の排気口３２とは同じ向きに開口しているため、第２の排気口３２からの排気は被清掃面に向けて吹き出す。一方、第１の排気口３１は被清掃面に向いていない。
【００４４】
この実施の形態の係る電気掃除機１によれば、第２の排気口３２にブロアーノズル５０が取り付けられていない場合には、第２の排気口３２からの排気量を低減させ、代わりに第１の排気口からの排気量を増加させることで、電気掃除機１による通常の吸引清掃時における吸引力の低下を抑制しつつ、ブロアーノズル５０の未使用時に排気による被清掃面上の塵埃巻き上げを抑制できる。
【００４５】
この際、シャッター部４０は、第２の排気口３２からの排気量を低減するだけで、第２の排気口３２からの排気を完全に止めるのではない。このようにすることで、ブロアーノズル５０の未使用時にも、第１の排気口３１と第２の排気口３２の両方に排気を分散させて、吸引力の低下をより抑制できる。
【００４６】
そして、第２の排気口３２にブロアーノズル５０が取り付けられている場合には、シャッター部４０が開かれる。したがって、第２の排気口３２からの排気量が第２の排気口３２にブロアーノズル５０が取り付けられていない時よりも増加する。このため、ブロアーノズル５０の使用時には、ブロアーノズル５０が接続される第２の排気口３２からの排気風速を大きくしてブロアーとしての性能を向上できる。
【００４７】
ここで、前述したように、第２の排気口３２の開口面積は、第１の排気口３１の開口面積よりも大きい。このため、ブロアーノズル５０の使用時に、第１の排気口３１よりも第２の排気口３２からの排気量を多くすることが可能であり、ブロアーとしての性能をさらに向上できる。
【００４８】
また、ブロアーノズル５０を第２の排気口３２から取り外した状態では、バネによりシャッター部４０が第２の排気口３２を閉じる。そして、ブロアーノズル５０を第２の排気口３２を取り付けると、バネに抗してブロアーノズル５０がシャッター部４０を押し開き、第２の排気口３２が開放される。このように、ブロアーノズル５０の第２の排気口３２への着脱とシャッター部４０による第２の排気口３２の開閉とを簡潔な構成で連動させることができるため、使い勝手を向上できる。
【００４９】
前述したように、吸込口２１と第２の排気口３２とは同じ向きに開口している。そして、第２の排気口３２へのブロアーノズル５０の着脱方向と吸込口２１への管体４の着脱方向とは平行である。このため、ブロアーノズル５０の形状が単純な直線状であっても、使用者は吸引清掃時と同様のやり方で本体３を支持してブロアーとして使用できる。すなわち、ブロアーノズル５０に吹出風路を曲げるため又は吹出方向を変えるための構造を備える必要がなく、構成を簡潔にできる。
【００５０】
また、図２から図４及び図１３に示すように、第２の排気口３２は、吸込口２１よりもハンドル１５に近接して配置されている。このため、電気掃除機１で吸引清掃する際には、第２の排気口３２が邪魔になることなく、吸込口２１を容易に被清掃面に近づけることができる。
【００５１】
そして、図１２、図１４及び図１５に示すように、第２の排気口３２に取り付けられたブロアーノズル５０のノズル先端部５１は、吸込口２１よりもハンドル１５から離間して配置される。このため、電気掃除機１をブロアーとして使用する際には、吸込口２１が邪魔になることなく、ブロアーノズル５０の吹出口を容易に被清掃面に近づけることができる。したがって、通常の吸引掃除機としてもブロアーとしても使い勝手が良好な電気掃除機１を得ることができる。
【００５２】
電気掃除機１をブロアーとして使用する場合、ブロアーノズル５０及び本体３を被清掃面に接触させることなく、使用者の手のみで本体３を支えることが多い。この実施の形態の電気掃除機１においては、図１２、図１４及び図１５に示すように、第２の排気口３２に取り付けられたブロアーノズル５０の長手軸は、ハンドル１５の前述した軸線上に配置される。このため、ハンドル１５の前述した軸線の延長線上にブロアーノズル５０と吹出口が配置されるので、使用者の手のみで本体３を支える不安定な状況であっても容易にブロアーノズル５０を所望の方向に向けることができ、使い勝手を向上できる。
【００５３】
この実施の形態では、ハンドル１５は、ケース部１８の後端部から前端部にかけて連続的に形成される。例えば、ハンドル１５の後端部と前端部とは平行である。例えば、ハンドル１５の中間部は、ハンドル１５の後端部と前端部とに対して湾曲して連結される。このため、掃除が行われる場面に応じて、適切な握り箇所を確保することができる。その結果、利用者は、掃除が行われる場面に応じて握りやすい箇所を握ることができる。
【００５４】
図１６及び図１７に示すように、この実施の形態の電気掃除機１は、スタンド２と組み合わされて、掃除機システム１００を構成する。スタンド２は、例えば、居室の床面に置かれる。電気掃除機１は、使用時にスタンド２から取り外される。スタンド２は、例えば充電台である。不使用時に、電気掃除機１をスタンド２に置くことで、電気掃除機１のバッテリ部１９を充電することができる。
【００５５】
スタンド２は、基台部２０１、支柱部２０２及び本体支持部２０３を備える。基台部２０１は、スタンド２の最も下方に配置される土台となる部分である。支柱部２０２は、基台部２０１の上面から鉛直上向きに直立して形成されている。本体支持部２０３は、支柱部２０２の中間部に固定されている。
【００５６】
電気掃除機１をスタンド２に載置する際、管体４及び接続管部２０から見て、吸込具５の前端側及び集塵部１７が配置された側が、スタンド２の支柱部２０２の方へと向けられる。すなわち、スタンド２は、前述した直立形態における電気掃除機１の本体３を、吸込具５の前端側から支持する。使用者は、掃除が終了した後に、そのまま、吸込具５の前側へと電気掃除機１を移動させながら、スタンド２に電気掃除機１を置くことができる。なお、吸込具５は、電気掃除機１がスタンド２に取り付けられる際、スタンド２の基台部２０１に支えられる。
【００５７】
以上においては、電気掃除機１をブロアーとして使用する際に、専用のブロアーノズル５０を取り付けて使用する場合について説明した。この点について、図１８に示すように、管体４を第２の排気口３２に取り付けて電気掃除機１をブロアーとして使用できるようにしてもよい。すなわち、この場合には、管体４は、吸込口２１と第２の排気口３２の両方に着脱可能である。このようにすることで、専用のブロアーノズル５０を用意することなく、電気掃除機１をブロアーとして使用できる。
【００５８】
また、この際、管体４は前述の一端側、すなわち吸込口２１と着脱可能な側が、第２の排気口３２に着脱可能とするとよい。このようにすることで、管体４を第２の排気口３２に接続してブロアーとして使用する際に、管体４を吸込口２１に接続して吸引清掃する時と同様の使用方法でよいため、使い勝手を向上できる。
【００５９】
なお、本実施の形態においては、集塵部１７は遠心分離を行うサイクロン分離装置を有する例について説明した。しかし、集塵部１７は、含塵空気から塵埃を分離し、分離した塵埃を蓄積するものであれば、塵埃の分離及び蓄積方法はこれに限定されない。例えば、遠心分離を実施せずに、フィルタにより、塵埃と空気を分離しても良い。また、いわゆる紙パック式のようなものでもよい。
【符号の説明】
【００６０】
１００    掃除機システム
１    電気掃除機
２    スタンド
２０１    基台部
２０２    支柱部
２０３    本体支持部
３    本体
４    管体
５    吸込具
１３    連結部
１４    吸込口体
１５    ハンドル
１６    外郭部
１７    集塵部
１８    ケース部
１９    バッテリ部
２０    接続管部
２１    吸込口
２２    操作部
２３    電動送風機
２４    制御部
２５    フィルタ部
２６    サイクロン部
３１    第１の排気口
３２    第２の排気口
４０    シャッター部
４１    回動軸
４２    クッション部
５０    ブロアーノズル
５１    ノズル先端部
５２    ラッチ部
【図１】
2019154486.tif 000003
【図２】
2019154486.tif 000004
【図３】
2019154486.tif 000005
【図４】
2019154486.tif 000006
【図５】
2019154486.tif 000007
【図６】
2019154486.tif 000008
【図７】
2019154486.tif 000009
【図８】
2019154486.tif 000010
【図９】
2019154486.tif 000011
【図１０】
2019154486.tif 000012
【図１１】
2019154486.tif 000013
【図１２】
2019154486.tif 000014
【図１３】
2019154486.tif 000015
【図１４】
2019154486.tif 000016
【図１５】
2019154486.tif 000017
【図１６】
2019154486.tif 000018
【図１７】
2019154486.tif 000019
【図１８】
2019154486.tif 000020